(57)【要約】【課題】倍率色収差を適正に補正することのできる広角レンズを提供すること。【解決手段】広角レンズ１００は、７枚のレンズを有している。第２レンズ２０、第３レンズ３０、第６レンズ６０、および第７レンズ７０はいずれも、プラスチックレンズであり、第１レンズ１０、第４レンズ４０、および第５レンズ５０はいずれも、ガラスレンズである。第４レンズ４０および第５レンズ５０は、第１接合レンズ１５０を構成しており、第６レンズ６０および第７レンズ７０は、第２接合レンズ１６０を構成している。第４レンズ４０のアッベ数ν4、および第５レンズ５０のアッベ数ν5は各々、以下の条件式    ２８≦ν4≦４０    ３８≦ν5≦５０    ν4≦ν5を満たしている。【選択図】図１
2019040117.tif 000002
【特許請求の範囲】
【請求項１】
物体側から像側に向けて配置された第１レンズ、第２レンズ、第３レンズ、第４レンズ、第５レンズ、絞り、第６レンズ、および第７レンズからなり、
前記第１レンズは、像側のレンズ面が凹曲面である負レンズであり、
前記第２レンズは、像側のレンズ面が凹曲面である負レンズであり、
前記第３レンズは、物体側のレンズ面が凹曲面である負レンズであり、
前記第４レンズは、物体側のレンズ面が凸曲面であり、
前記第５レンズは、像側のレンズ面が凸曲面である正レンズであり、
前記第６レンズは、像側のレンズ面が凹曲面である負レンズであり、
前記第７レンズは、物体側のレンズおよび像側のレンズ面が凸曲面である両凸レンズであり、
前記第２レンズ、前記第３レンズ、前記第６レンズ、および前記第７レンズはいずれも、プラスチックレンズであり、
前記第４レンズ、および前記第５レンズはいずれも、ガラスレンズであり、
前記第４レンズおよび前記第５レンズは、前記第４レンズの像側のレンズ面と前記第５レンズの物体側のレンズ面とが接合された第１接合レンズを構成し、
前記第６レンズおよび前記第７レンズは、前記第６レンズの像側のレンズ面と前記第７レンズの物体側のレンズ面とが接合された第２接合レンズを構成していることを特徴とする広角レンズ。
【請求項２】
前記第４レンズのアッベ数をν4とし、前記第５レンズのアッベ数をν5としたとき、アッベ数ν4、ν5は各々、以下の条件式
２８≦ν4≦４０
３８≦ν5≦５０
のいずれをも満たすことを特徴とする請求項１に記載の広角レンズ。
【請求項３】
アッベ数ν4、ν5は各々、以下の条件式
ν4≦ν5
を満たすことを特徴とする請求項２に記載の広角レンズ。
【請求項４】
前記第１レンズ、前記第２レンズ、前記第３レンズ、前記第４レンズ、および前記第５レンズの合成焦点距離をｆ12345とし、前記第６レンズ、および前記第７レンズの合成焦点距離をｆ67としたとき、合成焦点距離ｆ12345、ｆ67は、以下の条件式
０．１＜ｆ12345／ｆ67＜２
を満たすことを特徴とする請求項１から３までの何れか一項に記載の広角レンズ。
【請求項５】
前記第３レンズ、前記第４レンズ、および前記第５レンズの合成焦点距離をｆ345とし、レンズ系全体の焦点距離をｆ0としたとき、合成焦点距離ｆ345、および焦点距離ｆ0は、以下の条件式
２＜ｆ345／ｆ0＜４
を満たすことを特徴とする請求項１から４までの何れか一項に記載の広角レンズ。
【請求項６】
前記第６レンズのアッベ数をν6とし、前記第７レンズのアッベ数をν7としたとき、アッベ数ν6、ν7は各々、以下の条件式
ν6≦３０
ν7≦５０
のいずれをも満たすことを特徴とする請求項１から５までの何れか一項に記載の広角レンズ。
【請求項７】
物像間距離をｄ0とし、レンズ系全体の焦点距離をｆ0としたとき、物像間距離ｄ0、および焦点距離ｆ0は、以下の条件式
１０＜ｄ0／ｆ0＜１８
を満たすことを特徴とする請求項１から６までの何れか一項に記載の広角レンズ。
【発明の詳細な説明】
【技術分野】
【０００１】
本発明は、各種撮像系に用いられる広角レンズに関するものである。
【背景技術】
【０００２】
広角レンズとして、物体側から像側に向けて、物体側に凸面を向け、像側に凹面を向けた第１レンズ、像側に凹面を向けた第２レンズ、物体側に凹面を向けた第３レンズ、像側に凸面を向けた第４レンズ、第５レンズ、および第６レンズが順に配置され、第５レンズおよび第６レンズが、正のパワーを有する接合レンズを構成している５群６枚のレンズ構成が提案されている（特許文献１参照）。
【先行技術文献】
【特許文献】
【０００３】
【特許文献１】特開２０１５−３４９２２号公報
【発明の概要】
【発明が解決しようとする課題】
【０００４】
車載カメラや監視用カメラに用いる広角レンズにおいて、倍率色収差をより補正したレンズ系が求められているが、特許文献１に記載の広角レンズでは、接合レンズを構成している第５レンズおよび第６レンズがいずれもプラスチックであるため、かかる要求に対応するのが困難である。すなわち、プラスチックの場合、アッベ数を選択できる範囲が狭いため、倍率色収差を十分に補正するのが困難である。
【０００５】
以上の問題点に鑑みて、本発明の課題は、倍率色収差を適正に補正することのできる広角レンズを提供することにある。
【課題を解決するための手段】
【０００６】
上記課題を解決するために、本発明に係る広角レンズは、物体側から像側に向けて配置された第１レンズ、第２レンズ、第３レンズ、第４レンズ、第５レンズ、絞り、第６レンズ、および第７レンズからなり、前記第１レンズは、像側のレンズ面が凹曲面である負レンズであり、前記第２レンズは、像側のレンズ面が凹曲面である負レンズであり、前記第３レンズは、物体側のレンズ面が凹曲面である負レンズであり、前記第４レンズは、物体側のレンズ面が凸曲面であり、前記第５レンズは、像側のレンズ面が凸曲面である正レンズであり、前記第６レンズは、像側のレンズ面が凹曲面である負レンズであり、前記第７レンズは、物体側のレンズおよび像側のレンズ面が凸曲面である両凸レンズであり、前記第２レンズ、前記第３レンズ、前記第６レンズ、および前記第７レンズはいずれも、プラスチックレンズであり、前記第４レンズ、および前記第５レンズはいずれも、ガラスレンズであり、前記第４レンズおよび前記第５レンズは、前記第４レンズの像側のレンズ面と前記第５レンズの物体側のレンズ面とが接合された第１接合レンズを構成し、前記第６レンズおよび前記第７レンズは、前記第６レンズの像側のレンズ面と前記第７レンズの物体側のレンズ面とが接合された第２接合レンズを構成していることを特徴とする。
【０００７】
本発明では、プラスチックレンズ（第６レンズおよび第７レンズ）の第２接合レンズに加えて、ガラスレンズ（第４レンズおよび第５レンズ）の第１接合レンズが用いられており、ガラスレンズを用いた第１接合レンズでは、プラスチックを用いた第２接合レンズより、分散を適正に組み合わせることできる。従って、広角レンズの倍率色収差を低減することができる。また、絞りと隣り合うレンズ（第４レンズおよび第５レンズの第１接合レンズ）がガラスレンズであるため、温度変化に伴う焦点位置の変動を抑制することができ
る。
【０００８】
本発明において、前記第４レンズのアッベ数をν4とし、前記第５レンズのアッベ数をν5としたとき、アッベ数ν4、ν5は各々、以下の条件式
２８≦ν4≦４０
３８≦ν5≦５０
のいずれをも満たす態様を採用することができる。かかる態様によれば、倍率色収差を適正なレベルまで低減することができる。
【０００９】
本発明において、アッベ数ν4、ν5は各々、以下の条件式
ν4≦ν5
を満たす態様を採用することができる。かかる態様によれば、倍率色収差や軸上色収差等の色収差を適正なレベルまで低減することができる。
【００１０】
本発明において、前記第１レンズ、前記第２レンズ、前記第３レンズ、前記第４レンズ、および前記第５レンズの合成焦点距離をｆ12345とし、前記第６レンズ、および前記第７レンズの合成焦点距離をｆ67としたとき、合成焦点距離ｆ12345、ｆ67は、以下の条件式
０．１＜ｆ12345／ｆ67＜２
を満たす態様を採用することができる。かかる態様によれば、合成焦点距離の比（ｆ12345／ｆ67）が下限（０．１）を越えているので、前群のパワーが強くなりすぎることを回避することができる。従って、各種収差の補正を適正に行うことができ、高い光学特性を実現することができる。また、合成焦点距離の比（ｆ12345／ｆ67）が上限（２）未満であるため、前群のパワーが弱くなりすぎることを回避することができる。それ故、広角レンズの小型化を図ることができる。
【００１１】
本発明において、前記第３レンズ、前記第４レンズ、および前記第５レンズの合成焦点距離をｆ345とし、レンズ系全体の焦点距離をｆ0としたとき、合成焦点距離ｆ345、および焦点距離ｆ0は、以下の条件式
２＜ｆ345／ｆ0＜４
を満たす態様を採用することができる。かかる態様によれば、合成焦点距離の比（ｆ345／ｆ0）が下限（２）を超えているため、前群のパワーが強くなりすぎることを回避することができる。従って、各種収差の補正を適正に行うことができ、高い光学特性を実現することができる。また、合成焦点距離の比（ｆ345／ｆ0）が上限（４）未満であるため、前群のパワーが弱くなりすぎることを回避することができる。それ故、広角レンズの小型化を図ることができる。
【００１２】
本発明において、前記第６レンズのアッベ数をν6とし、前記第７レンズのアッベ数をν7としたとき、アッベ数ν6、ν7は各々、以下の条件式
ν6≦３０
ν7≦５０
のいずれをも満たす態様を採用することができる。かかる態様によれば、倍率色収差や軸上色収差等の色収差を低減することができる。
【００１３】
本発明において、物像間距離をｄ0とし、レンズ系全体の焦点距離をｆ0としたとき、物像間距離ｄ0、および焦点距離ｆ0は、以下の条件式
１０＜ｄ0／ｆ0＜１８
を満たす態様を採用することができる。かかる態様によれば、球面収差や歪曲収差を適正に補正することができる。また、ｄ0／ｆ0の値が１８未満であるので、レンズ径が大きくなりすぎることを抑制することができるとともに、レンズ系全体の全長が長くなることを
回避することができる。
【発明の効果】
【００１４】
本発明では、プラスチックレンズ（第６レンズおよび第７レンズ）の第２接合レンズに加えて、ガラスレンズ（第４レンズおよび第５レンズ）の第１接合レンズが用いられており、ガラスレンズを用いた第１接合レンズでは、プラスチックを用いた第２接合レンズより、分散を適正に組み合わせることできる。従って、広角レンズの倍率色収差を低減することができる。また、絞りと隣り合うレンズ（第４レンズおよび第５レンズの第１接合レンズ）がガラスレンズであるため、温度変化に伴う焦点位置の変動を抑制することができる。
【図面の簡単な説明】
【００１５】
【図１】本発明の実施例１に係る広角レンズの説明図である。
【図２】図１に示す広角レンズの球面収差を示す説明図である。
【図３】図１に示す広角レンズの非点収差およびディストーションを示す説明図である。
【図４】図１に示す広角レンズの倍率色収差を示す説明図である。
【図５】図１に示す広角レンズの横収差を示す説明図である。
【図６】本発明の実施例２に係る広角レンズの説明図である。
【図７】図６に示す広角レンズの球面収差を示す説明図である。
【図８】図６に示す広角レンズの非点収差およびディストーションを示す説明図である。
【図９】図６に示す広角レンズの倍率色収差を示す説明図である。
【図１０】図６に示す広角レンズの横収差を示す説明図である。
【発明を実施するための形態】
【００１６】
本発明を適用した広角レンズ１００として、実施例１、および実施例２を説明する。
【００１７】
［実施例１］
（全体構成）
図１は、本発明の実施例１に係る広角レンズ１００の説明図である。図２は、図１に示す広角レンズ１００の球面収差を示す説明図である。図３は、図１に示す広角レンズ１００の非点収差およびディストーションを示す説明図である。図４は、図１に示す広角レンズ１００の倍率色収差を示す説明図である。図５は、図１に示す広角レンズ１００の横収差を示す説明図である。
【００１８】
図１には、面番号をかっこ内に示し、非球面には「＊」を付してある。また、図１に示すレンズのうち、プラスチックレンズはレンズ面の外周側にフランジ部を有しているが、図１には、フランジ部の図示を省略してある。図２、図３、図４および図５には、赤色光Ｒ（波長６５６ｎｍ）、緑色光Ｇ（波長５８８ｎｍ）、および青色光Ｂ（波長４８６ｎｍ）における各収差を示してある。また、図３に示す非点収差に関しては、サジタル方向の特性にＳを付し、タンジェンシャル方向の特性にＴを付してある。また、図３に示すディストーションとは、撮像中央部と周辺部における像の変化比率を示し、ディストーションをあらわす数値の絶対値が小さいほど、高精度なレンズといえる。図５には、赤色光Ｒ、緑色光Ｇ、および青色光Ｂの各角度０．００ｄｅｇ、１５．００ｄｅｇ、３０．００ｄｅｇ、４０．００ｄｅｇ、４５．００ｄｅｇ、５０．００ｄｅｇ、５５．００ｄｅｇ、６０．００ｄｅｇ、および６５．００ｄｅｇにおける光軸に直交する２方向（ｙ方向およびｘ方向）の横収差を纏めて示してある。
【００１９】
図１に示す広角レンズ１００は、物体側Ｌａから像側Ｌｂに向けて配置された第１レン
ズ１０、第２レンズ２０、第３レンズ３０、第４レンズ４０、第５レンズ５０、絞り９１、第６レンズ６０、および第７レンズ７０からなる７枚のレンズを有している。第４レンズ４０および第５レンズ５０は、第４レンズ４０の像側Ｌｂのレンズ面４２と第５レンズ５０の物体側Ｌａのレンズ面５１とが接合された第１接合レンズ１５０を構成しており、第１接合レンズ１５０は、正のパワーを有している。また、第６レンズ６０および第７レンズ７０は、第６レンズ６０の像側Ｌｂのレンズ面６２と第７レンズ７０の物体側Ｌａのレンズ面７１とが接合された第２接合レンズ１６０を構成しており、第２接合レンズ１６０は、正のパワーを有している。第２接合レンズ１６０に対して像側Ｌｂには、平板状の赤外線フィルタ９２、透光性のカバー９３、および撮像素子９４が順に配置されている。
【００２０】
本例の広角レンズ１００の各レンズの構成等は、表１に示す通りであり、表１には、広角レンズ１００の特性として以下の特性を示してある。
レンズ系全体の焦点距離ｆ0（Effective Focal Length）
物像間距離ｄ0（Total Track）
レンズ系全体のＦ値（Image Space F/#）
最大画角（Max. Field Angle）
水平画角（Max. Horizontal Field Angle）
【００２１】
また、表１には、各面（Surf）の以下の項目が示されている。
曲率半径（Radius）
厚さ（Thickness）
屈折率Ｎｄ
アッベ数νｄ
各レンズの焦点距離ｆ
合成焦点距離ｆａ、ｆｂ、ｆｃ
【００２２】
なお、曲率半径、厚さ、焦点距離、直径の単位はｍｍである。ここで、レンズ面が物体側Ｌａに向けて突出した凸面あるいは物体側Ｌａに向けて凹んだ凹面である場合には、曲率半径を正の値とし、レンズ面が像側Ｌｂに向けて突出した凸面あるいは像側Ｌｂに向けて凹んだ凹面である場合、曲率半径を負の値としてある。また、正レンズ（正のパワーを有するレンズ）の焦点距離ｆを正の値とし、負レンズ（負のパワーを有するレンズ）の焦点距離ｆを負の値としてある。
【００２３】
【表１】
2019040117.tif 000003
【００２４】
表２には、広角レンズ１００に用いた非球面レンズの形状を下式（数１）で表した際の曲率半径の逆数ｃ、円錐係数Ｋ、および非球面係数Ａ4、Ａ6、Ａ8が示されている。下式においては、サグ量（光軸方向の軸）をＺ、光軸と垂直方向の高さ（光線高さ）をｒとしてある。
【００２５】
【表２】
2019040117.tif 000004
【００２６】
【数１】
2019040117.tif 000005
【００２７】
表１に示すように、本例の広角レンズ１００においては、レンズ系全体の焦点距離ｆ0は１．６９０ｍｍであり、物像間距離ｄ0は２２．００１ｍｍであり、レンズ系全体のＦ値は２．０であり、最大画角は１３０ｄｅｇであり、水平画角は１３０ｄｅｇである。
【００２８】
第１レンズ１０は、像側Ｌｂのレンズ面１２（第２面（２））が凹曲面である負レンズである。本形態において、第１レンズ１０は、負メニスカスレンズであり、物体側Ｌａのレンズ面１１（第１面（１））が凸曲面である。本例において、第１レンズ１０は、ガラスレンズであり、物体側Ｌａのレンズ面１１（第１面（１））、および像側Ｌｂのレンズ面１２（第２面（２））はいずれも、球面である。第１レンズ１０には、屈折率が１．８７１、かつ、アッベ数が４０．７のレンズ材料が用いられており、焦点距離は−１４．８９７ｍｍである。
【００２９】
第２レンズ２０は、像側Ｌｂのレンズ面２２（第４面（４））が凹曲面である負レンズである。本例において、第２レンズ２０は、負メニスカスレンズであり、物体側Ｌａのレンズ面２１（第３面（３））が凸曲面である。但し、第２レンズ２０の物体側Ｌａのレン
ズ面２１（第３面（３））は中央部分が凹曲面になっている。本例において、第２レンズ２０は、アクリル樹脂系、ポリカーボネート系、ポリオレフィン系等からなるプラスチックレンズであり、物体側Ｌａのレンズ面２１（第３面（３））、および像側Ｌｂのレンズ面２２（第４面（４））はいずれも、非球面である。第２レンズ２０には、屈折率が１．５４４、かつ、アッベ数が５６．２のレンズ材料が用いられており、焦点距離は−５．０３３である。
【００３０】
第３レンズ３０は、物体側Ｌａのレンズ面３１（第５面（５））が凹曲面である負レンズである。本例において、第３レンズ３０は、負メニスカスレンズであり、像側Ｌｂのレンズ面３２（第６面（６））が凸曲面である。本例において、第３レンズ３０は、アクリル樹脂系、ポリカーボネート系、ポリオレフィン系等からなるプラスチックレンズであり、物体側Ｌａのレンズ面３１（第５面（５））、および像側Ｌｂのレンズ面５２（第６面（６））はいずれも、非球面である。第３レンズ３０には、屈折率が１．６３１、かつ、アッベ数が２３．３のレンズ材料が用いられており、焦点距離は−５２．９５０である。
【００３１】
第４レンズ４０は、物体側Ｌａのレンズ面４１（第７面（７））が凸曲面である。本例において、第３レンズ３０は、負メニスカスレンズであり、像側Ｌｂ側のレンズ面４２が凹曲面である。本例において、第４レンズ４０はガラスレンズであり、物体側Ｌａのレンズ面４１（第７面（７））、および像側Ｌｂのレンズ面４２はいずれも、球面である。第４レンズ４０には、屈折率が１．７２３、かつ、アッベ数が３８．０のレンズ材料が用いられており、焦点距離は−１０．１３７ｍｍである。
【００３２】
第５レンズ５０は、像側Ｌｂのレンズ面５２（第９面（９））が凸曲面である正レンズである。本例において、第５レンズ５０は、物体側Ｌａのレンズ面５１、および像側Ｌｂのレンズ面５２（第９面（９））のいずれもが凸曲面である両凸レンズである。本例において、第５レンズ５０はガラスレンズであり、物体側Ｌａのレンズ面５１、および像側Ｌｂのレンズ面５２（第９面（９））はいずれも球面である。第５レンズ５０には、屈折率が１．８８１、かつ、アッベ数が４０．１のレンズ材料が用いられており、焦点距離は３．８８８ｍｍである。
【００３３】
ここで、第４レンズ４０の像側Ｌｂのレンズ面４２と、第５レンズ５０の物体側Ｌａのレンズ面５１とは、同一形状に形成されており、第４レンズ４０と第５レンズ５０とは、第４レンズ４０の像側Ｌｂのレンズ面４２と第５レンズ５０の物体側Ｌａのレンズ面５１とが樹脂により接合された第１接合レンズ１５０を構成している。従って、第４レンズ４０の像側Ｌｂのレンズ面４２と第５レンズ５０の物体側Ｌａのレンズ面５１との接合面を第９面（９）としてある。本例において、樹脂材は、ＵＶ硬化型の接着剤である。接着剤は、硬化後も弾性を有する材質であることが好ましい。
【００３４】
第６レンズ６０は、像側Ｌｂのレンズ面６２（第１２面（１２））が凹曲面である負レンズである。本例において、第６レンズ６０は、負メニスカスレンズであり、物体側Ｌａのレンズ面６１（第１１面（１１））が凸曲面である。本例において、第６レンズ６０は、アクリル樹脂系、ポリカーボネート系、ポリオレフィン系等からなるプラスチックレンズであり、物体側Ｌａのレンズ面６１（第１１面（１１））、および像側Ｌｂのレンズ面６２（第１２面（１２））はいずれも、非球面である。第６レンズ６０には、屈折率が１．６３５、かつ、アッベ数が２４．０のレンズ材料が用いられており、焦点距離は−２．５１９である。
【００３５】
第７レンズ７０は、物体側Ｌａのレンズ面７１、および像側Ｌｂのレンズ面７２（第１３面（１３））が凸曲面である両凸レンズであり、正のパワーを有している。本例において、第７レンズ７０は、アクリル樹脂系、ポリカーボネート系、ポリオレフィン系等から
なるプラスチックレンズであり、物体側Ｌａのレンズ面７１、および像側Ｌｂのレンズ面７２（第１３面（１３））はいずれも、非球面である。第７レンズ７０には、屈折率が１．５４４、かつ、アッベ数が５６．２のレンズ材料が用いられており、焦点距離は２．１６７である。
【００３６】
ここで、第６レンズ６０の像側Ｌｂのレンズ面６２と、第７レンズ７０の物体側Ｌａのレンズ面７１とは、同一形状に形成されており、第６レンズ６０と第７レンズ７０とは、第６レンズ６０の像側Ｌｂのレンズ面６２と第７レンズ７０の物体側Ｌａのレンズ面７１とが樹脂により接合された第２接合レンズ１６０を構成している。従って、第６レンズ６０の像側Ｌｂのレンズ面６２と第７レンズ７０の物体側Ｌａのレンズ面７１との接合面を第１２面（１１）としてある。本例において、樹脂材は、ＵＶ硬化型の接着剤である。接着剤は、硬化後も弾性を有する材質であることが好ましい。
【００３７】
本形態では、第５レンズ５０と第６レンズ６０との間に配置された絞り９１によって第１０面（１０）が構成され、赤外線フィルタ９２の物体側Ｌａの面９２１によって第１４面（１４）が構成され、像側Ｌｂの面９２２によって第１５面（１５）が構成されている。また、カバー９３の物体側Ｌａの面９３１によって第１６面（１６）が構成され、カバー９３の像側Ｌｂの面９３２によって第１７面（１７）が構成されている。
【００３８】
図２〜図５に示すように、本例の広角レンズ１００においては、球面収差、非点収差（ディストーション）、倍率色収差、および横収差が適正なレベルまで補正されている。
【００３９】
このように構成した広角レンズ１００では、プラスチックレンズ（第６レンズ６０および第７レンズ７０）の第２接合レンズ１６０に加えて、ガラスレンズ（第４レンズ４０および第５レンズ５０）の第１接合レンズ１５０が用いており、ガラスレンズを用いた接合レンズ（第１接合レンズ１５０）では、プラスチックを用いた第２接合レンズ１６０より、分散を適正に組み合わせることできる。従って、広角レンズ１００の倍率色収差を低減することができる。また、絞り９１と隣り合うレンズ（第４レンズ４０および第５レンズ５０の第１接合レンズ１５０）がガラスレンズであるため、温度変化に伴う焦点位置の変動を抑制することができる。
【００４０】
（条件式等の説明）
本例の広角レンズ１００において、以下に説明する条件式（１）〜（７）に関連する各値を表３に示してある。本例の広角レンズ１００は、以下の条件式（１）〜（７）を満たすため、図２〜図５に示すレンズ特性を有している。なお、表３には、後述する実施例２の各値も示してある。また、表３に示す値や以下に説明する値は、四捨五入による端数処理を行ってある。
【００４１】
【表３】
2019040117.tif 000006
【００４２】
まず、本例では、第４レンズ４０のアッベ数をν4とし、第５レンズ５０のアッベ数をν5としたとき、アッベ数ν4、ν5は各々、以下の条件式（１）、（２）
２８≦ν4≦４０    ・・・条件式（１）
３８≦ν5≦５０    ・・・条件式（２）
のいずれをも満たしている。より具体的には、第４レンズ４０のアッベ数ν4は、３８．０であり、条件式（１）を満たしている。第５レンズ５０のアッベ数ν4は、４０．１であり、条件式（２）を満たしている。また、アッベ数ν4、ν5は、以下の条件式（３）
ν4≦ν5    ・・・条件式（３）
を満たしている。従って、倍率色収差や軸上色収差等の色収差を適正なレベルまで低減することができる。
【００４３】
第１レンズ１０、第２レンズ２０、第３レンズ３０、第４レンズ４０、および第５レンズ５０の合成焦点距離をｆ12345とし、第６レンズ６０、および第７レンズ７０の合成焦点距離をｆ67としたとき、合成焦点距離ｆ12345、ｆ67は、以下の条件式（４）
０．１＜ｆ12345／ｆ67＜２    ・・・条件式（４）
を満たしている。より具体的には、第１レンズ１０、第２レンズ２０、第３レンズ３０、第４レンズ４０、および第５レンズ５０の合成焦点距離ｆ12345は、４．２７３ｍｍであり、第６レンズ６０、および第７レンズ７０の合成焦点距離ｆ67は、５．４３３ｍｍである。従って、合成焦点距離の比（ｆ12345／ｆ67）は、０．７８６であり、条件式（４）を満たしている。このように、合成焦点距離の比（ｆ12345／ｆ67）が下限（０．１）を越えているので、第１レンズ１０、第２レンズ２０、第３レンズ３０、第４レンズ４０、および第５レンズ５０からなる前群のパワーが強くなりすぎることを回避することができる。従って、各種収差の補正を適正に行うことができ、高い光学特性を実現することができる。また、合成焦点距離の比（ｆ12345／ｆ67）が上限（２）未満であるため、第１レンズ１０、第２レンズ２０、第３レンズ３０、第４レンズ４０、および第５レンズ５０からなる前群のパワーが弱くなりすぎることを回避することができる。それ故、広角レンズ１００の小型化を図ることができる。
【００４４】
第３レンズ３０、第４レンズ４０、および第５レンズ５０の合成焦点距離をｆ345とし
、レンズ系全体の焦点距離をｆ0としたとき、合成焦点距離ｆ345、および焦点距離ｆ0は、以下の条件式（５）
２＜ｆ345／ｆ0＜４    ・・・条件式（５）
を満たしている。より具体的には、合成焦点距離ｆ345は、５．５６２ｍｍであり、レンズ系全体の焦点距離ｆ0は、１．６９０ｍｍである。従って、ｆ345／ｆ0は、３．２９２であり、条件式（５）を満たしている。このように、合成焦点距離の比（ｆ345／ｆ0）が下限（２）を超えているため、第１レンズ１０、第２レンズ２０、第３レンズ３０、第４レンズ４０、および第５レンズ５０からなる前群のパワーが強くなりすぎることを回避することができる。従って、各種収差の補正を適正に行うことができ、高い光学特性を実現することができる。また、合成焦点距離の比（ｆ345／ｆ0）が上限（４）未満であるため、第１レンズ１０、第２レンズ２０、第３レンズ３０、第４レンズ４０、および第５レンズ５０からなる前群のパワーが弱くなりすぎることを回避することができる。それ故、広角レンズ１００の小型化を図ることができる。
【００４５】
第６レンズ６０のアッベ数をν6とし、第７レンズ７０のアッベ数をν7としたとき、アッベ数ν6、ν7は各々、以下の条件式６
ν6≦３０    ・・・条件式（６ａ）
ν7≦５０    ・・・条件式（６ｂ）
のいずれをも満たしている。より具体的には、第６レンズ６０のアッベ数ν6は、２４．０であり、条件式（６ａ）を満たしている。また、第７レンズ７０のアッベ数ν7は、５６．２であり、条件式（６ｂ）を満たしている。従って、倍率色収差や軸上色収差等の色収差を低減することができる。
【００４６】
物像間距離をｄ0とし、レンズ系全体の焦点距離をｆ0としたとき、物像間距離ｄ0、および焦点距離ｆ0は、以下の条件式（７）
１０＜ｄ0／ｆ0＜１８    ・・・条件式（７）
を満たしている。より具体的には、物像間距離ｄ0は、２２．００１ｍｍであり、レンズ系全体の焦点距離ｆ0は１．６９０ｍｍである。従って、比（ｄ0／ｆ0）は、１３．０２１であり、条件式（７）を満たしている。従って、球面収差や歪曲収差を適正に補正することができる。また、比（ｄ0／ｆ0）の値が１８未満であるので、レンズ径が大きくなりすぎることを抑制することができるとともに、レンズ系全体の全長が長くなることを回避することができる。
【００４７】
［実施例２］
図６は、本発明の実施例２に係る広角レンズ１００の説明図である。図７は、図６に示す広角レンズ１００の球面収差を示す説明図である。図８は、図６に示す広角レンズ１００の非点収差およびディストーションを示す説明図である。図９は、図６に示す広角レンズ１００の倍率色収差を示す説明図である。図１０は、図６に示す広角レンズ１００の横収差を示す説明図である。本例の基本的な構成は、実施例１と同様であるため、対応する部分には同一の符号を付してそれらの説明を省略する。なお、図１０には、赤色光Ｒ、緑色光Ｇ、および青色光Ｂの各角度０．００ｄｅｇ、１５．００ｄｅｇ、３０．００ｄｅｇ、４０．００ｄｅｇ、５２．００ｄｅｇ、５８．００ｄｅｇ、および６５．００ｄｅｇにおける光軸に直交する２方向（ｙ方向およびｘ方向）の横収差を纏めて示してある。
【００４８】
図１に示す広角レンズ１００も、実施例１と同様、物体側Ｌａから像側Ｌｂに向けて配置された第１レンズ１０、第２レンズ２０、第３レンズ３０、第４レンズ４０、第５レンズ５０、絞り９１、第６レンズ６０、および第７レンズ７０からなる７枚のレンズを有している。第４レンズ４０および第５レンズ５０は、第４レンズ４０の像側Ｌｂのレンズ面４２と第５レンズ５０の物体側Ｌａのレンズ面５１とが接合された第１接合レンズ１５０を構成しており、第１接合レンズ１５０は、正のパワーを有している。また、第６レンズ
６０および第７レンズ７０は、第６レンズ６０の像側Ｌｂのレンズ面６２と第７レンズ７０の物体側Ｌａのレンズ面７１とが接合された第２接合レンズ１６０を構成しており、第２接合レンズ１６０は、正のパワーを有している。
【００４９】
本例の広角レンズ１００の各レンズの構成等は、表４に示す通りであり、非球面レンズの曲率半径の逆数ｃ、円錐係数Ｋ、および非球面係数Ａ4、Ａ6、Ａ8は、表５に示す通りである。
【００５０】
【表４】
2019040117.tif 000007
【００５１】
【表５】
2019040117.tif 000008
【００５２】
表４に示すように、本例の広角レンズ１００においては、レンズ系全体の焦点距離ｆ0は１．６８４ｍｍであり、物像間距離ｄ0は２２．０００ｍｍであり、レンズ系全体のＦ値は２．０であり、最大画角は１３０ｄｅｇであり、水平画角は１３０ｄｅｇである。
【００５３】
第１レンズ１０は、像側Ｌｂのレンズ面１２（第２面（２））が凹曲面である負レンズである。本形態において、第１レンズ１０は、負メニスカスレンズであり、物体側Ｌａのレンズ面１１（第１面（１））が凸曲面である。本例において、第１レンズ１０は、ガラスレンズであり、物体側Ｌａのレンズ面１１（第１面（１））、および像側Ｌｂのレンズ面１２（第２面（２））はいずれも、球面である。第１レンズ１０には、屈折率が１．９５４、かつ、アッベ数が３２．３のレンズ材料が用いられており、焦点距離は−８．７２４ｍｍである。
【００５４】
第２レンズ２０は、像側Ｌｂのレンズ面２２（第４面（４））が凹曲面である負レンズである。本例において、第２レンズ２０は、負メニスカスレンズであり、物体側Ｌａのレンズ面２１（第３面（３））が凸曲面である。但し、第２レンズ２０の物体側Ｌａのレンズ面２１（第３面（３））は中央部分が凹曲面になっている。本例において、第２レンズ２０はプラスチックレンズであり、物体側Ｌａのレンズ面２１（第３面（３））、および像側Ｌｂのレンズ面２２（第４面（４））はいずれも、非球面である。第２レンズ２０には、屈折率が１．５４４、かつ、アッベ数が５６．２のレンズ材料が用いられており、焦点距離は−６．０５２である。
【００５５】
第３レンズ３０は、物体側Ｌａのレンズ面３１（第５面（５））が凹曲面である負レンズである。本例において、第３レンズ３０は、負メニスカスレンズであり、像側Ｌｂのレンズ面３２（第６面（６））が凸曲面である。本例において、第３レンズ３０はプラスチックレンズであり、物体側Ｌａのレンズ面３１（第５面（５））、および像側Ｌｂのレンズ面５２（第６面（６））はいずれも、非球面である。第３レンズ３０には、屈折率が１．６３１、かつ、アッベ数が２３．３のレンズ材料が用いられており、焦点距離は−２６．９５９である。
【００５６】
第４レンズ４０は、物体側Ｌａのレンズ面４１（第７面（７））が凸曲面である。本例において、第３レンズ３０は、正メニスカスレンズであり、像側Ｌｂ側のレンズ面４２が凹曲面である。本例において、第４レンズ４０はガラスレンズであり、物体側Ｌａのレン
ズ面４１（第７面（７））、および像側Ｌｂのレンズ面４２はいずれも、球面である。第４レンズ４０には、屈折率が１．９０４、かつ、アッベ数が３１．３のレンズ材料が用いられており、焦点距離は１１．３５２ｍｍである。
【００５７】
第５レンズ５０は、像側Ｌｂのレンズ面５２（第９面（９））が凸曲面である正レンズである。本例において、第５レンズ５０は、物体側Ｌａのレンズ面５１、および像側Ｌｂのレンズ面５２（第９面（９））のいずれもが凸曲面である両凸レンズである。本例において、第５レンズ５０はガラスレンズであり、物体側Ｌａのレンズ面５１、および像側Ｌｂのレンズ面５２（第９面（９））はいずれも球面である。第５レンズ５０には、屈折率が１．７１７、かつ、アッベ数が４８．０のレンズ材料が用いられており、焦点距離は１１．７０９ｍｍである。
【００５８】
ここで、第４レンズ４０と第５レンズ５０とは、第４レンズ４０の像側Ｌｂのレンズ面４２と第５レンズ５０の物体側Ｌａのレンズ面５１とが樹脂により接合された第１接合レンズ１５０を構成している。従って、第４レンズ４０の像側Ｌｂのレンズ面４２と第５レンズ５０の物体側Ｌａのレンズ面５１との接合面を第９面（９）としてある。
【００５９】
第６レンズ６０は、像側Ｌｂのレンズ面６２（第１２面（１２））が凹曲面である負レンズである。本例において、第６レンズ６０は、負メニスカスレンズであり、物体側Ｌａのレンズ面６１（第１１面（１１））が凸曲面である。本例において、第６レンズ６０はプラスチックレンズであり、物体側Ｌａのレンズ面６１（第１１面（１１））、および像側Ｌｂのレンズ面６２（第１２面（１２））はいずれも、非球面である。第６レンズ６０には、屈折率が１．６３５、かつ、アッベ数が２４．０のレンズ材料が用いられており、焦点距離は−２．４００である。
【００６０】
第７レンズ７０は、物体側Ｌａのレンズ面７１、および像側Ｌｂのレンズ面７２（第１３面（１３））が凸曲面である両凸レンズであり、正のパワーを有している。本例において、第７レンズ７０はプラスチックレンズであり、物体側Ｌａのレンズ面７１、および像側Ｌｂのレンズ面７２（第１３面（１３））はいずれも、非球面である。第７レンズ７０には、屈折率が１．５４４、かつ、アッベ数が５６．２のレンズ材料が用いられており、焦点距離は２．１０７である。
【００６１】
ここで、第６レンズ６０と第７レンズ７０とは、第６レンズ６０の像側Ｌｂのレンズ面６２と第７レンズ７０の物体側Ｌａのレンズ面７１とが樹脂により接合された第２接合レンズ１６０を構成している。従って、第６レンズ６０の像側Ｌｂのレンズ面６２と第７レンズ７０の物体側Ｌａのレンズ面７１との接合面を第１２面（１１）としてある。
【００６２】
図７〜図１０に示すように、本例の広角レンズ１００においては、球面収差、非点収差（ディストーション）、倍率色収差、および横収差が適正なレベルまで補正されている。
【００６３】
このように構成した広角レンズ１００でも、実施例１と同様、プラスチックレンズ（第６レンズ６０および第７レンズ７０）の第２接合レンズ１６０に加えて、ガラスレンズ（第４レンズ４０および第５レンズ５０）の第１接合レンズ１５０が用いており、ガラスレンズを用いた接合レンズ（第１接合レンズ１５０）では、プラスチックを用いた第２接合レンズ１６０より、分散を適正に組み合わせることできる。従って、広角レンズ１００の倍率色収差を低減することができる。また、絞り９１と隣り合うレンズ（第４レンズ４０および第５レンズ５０の第１接合レンズ１５０）がガラスレンズであるため、温度変化に伴う焦点位置の変動を抑制することができる。
【００６４】
また、本例の広角レンズ１００は、表３に示すように、実施例１で説明した条件式（１
）〜（７）を満たしている。それ故、倍率色収差や軸上色収差等の色収差を適正なレベルまで低減することができる等、実施例１と同様な効果を奏する。まず、第４レンズ４０のアッベ数ν4は、３１．３であり、条件式（１）を満たしている。第５レンズ５０のアッベ数ν4は、４８．０であり、条件式（２）を満たしている。また、アッベ数ν4、ν5は、条件式（３）を満たしている。
【００６５】
第１レンズ１０、第２レンズ２０、第３レンズ３０、第４レンズ４０、および第５レンズ５０の合成焦点距離ｆ12345は、４．８０２ｍｍであり、第６レンズ６０、および第７レンズ７０の合成焦点距離ｆ67は、５．３５２ｍｍである。従って、合成焦点距離の比（ｆ12345／ｆ67）は、０．８９７であり、条件式（４）を満たしている。
【００６６】
第３レンズ３０、第４レンズ４０、および第５レンズ５０の合成焦点距離ｆ345は、５．７１２ｍｍであり、レンズ系全体の焦点距離ｆ0は、１．６８４ｍｍである。従って、ｆ345／ｆ0は、３．３９１であり、条件式（５）を満たしている。
【００６７】
第６レンズ６０のアッベ数ν6は、２４．０であり、条件式（６ａ）を満たしている。第７レンズ７０のアッベ数ν7は、５６．２であり、条件式（６ｂ）を満たしている。
【００６８】
物像間距離ｄ0は、２２．０００ｍｍであり、レンズ系全体の焦点距離ｆ0は１．６８４ｍｍである。従って、比（ｄ0／ｆ0）は、１３．０６２であり、条件式（７）を満たしている。
【００６９】
［他の実施の形態］
以上、本発明を実施例１、２に基づいて説明したが、本発明の趣旨を逸脱しない範囲で、レンズ構成を適宜変更することができる。例えば、上記実施例では、第１レンズ１０がガラスレンズであったが、プラスチックレンズであってもよい。この場合、第１レンズ１０の像側Ｌｂのレンズ面１１を非球面とすることができる。
【符号の説明】
【００７０】
１０…第１レンズ、２０…第２レンズ、３０…第３レンズ、４０…第４レンズ、５０…第５レンズ、６０…第６レンズ、７０…第７レンズ、９１…絞り、９４…撮像素子、１００…広角レンズ、１５０…第１接合レンズ、１６０…第２接合レンズ
【図１】
2019040117.tif 000009
【図２】
2019040117.tif 000010
【図３】
2019040117.tif 000011
【図４】
2019040117.tif 000012
【図５】
2019040117.tif 000013
【図６】
2019040117.tif 000014
【図７】
2019040117.tif 000015
【図８】
2019040117.tif 000016
【図９】
2019040117.tif 000017
【図１０】
2019040117.tif 000018